(57)【特許請求の範囲】
【請求項１】
育苗箱２を横送する移送台１の上方位置に設けたフレーム９と、該フレーム９に取付けられ横送中の前記育苗箱２の前壁５の上面に当接する高さ位置であって、かつ、回転均平ブラシにより均平された前記育苗箱２内の床土上面よりも上方の待機位置から前記床土上面まで下降して前記育苗箱２の前壁５の隅土を押圧する前壁隅部押圧体１６を設けた取付アーム１３とからなり、該取付アーム１３は、その回動中心を前記フレーム９に基部を軸止した支持アーム２０の先端に取付兼回動規制軸１４により取付け、該取付兼回動規制軸１４は前記フレーム９側に形成した取付兼回動規制軸１４の軸径より大径の回動規制孔１５に係合させて前記支持アーム２０の回動を規制するように構成し、もって、前記取付兼回動規制軸１４を前記支持アーム２０の回動により上下させることにより、前記前壁隅部押圧体１６が前記育苗箱２の前壁５を乗り越えて最大押圧位置から最大押圧位置よりも上方であって前記床土上面より上方の待機位置で待機するように構成した育苗箱の隅部床土押圧装置。
【請求項２】
請求項１において、前記取付兼回動規制軸１４は前記回動規制孔１５内周の上下何れか一方から何れか他方の間のみ移動するようにして、前記支持アーム２０の回動を規制した育苗箱の隅部床土押圧装置。
【請求項３】
請求項１または請求項２において、前記取付アーム１３と支持アーム２０との間には、前記前壁隅部押圧体１６を常時下降するように付勢する牽引バネ２２と、前記取付アーム１３を前記支持アーム２０に対する所定位置に待機させるストッパ２４とを設けた育苗箱の隅部床土押圧装置。
【請求項４】
育苗箱２を横送する移送台１の上方位置に設けたフレーム９と、該フレーム９に取付けられ横送中の前記育苗箱２の前壁５の上面に当接する高さ位置であって、かつ、回転均平ブラシにより均平された前記育苗箱２内の床土上面よりも上方の待機位置から前記床土上面まで下降して前記育苗箱２の前壁５の隅土を押圧する前壁隅部押圧体１６を設けた取付アーム１３とからなり、該取付アーム１３は前記育苗箱２の移送方向前側上方位置を回動中心とし移送方向後側斜め下方位置に前壁隅部押圧体１６を設け、前記取付アーム１３の前記回動中心は支持アーム２０の先端に設けた取付兼回動規制軸１４とし、前記支持アーム２０は前記取付兼回動規制軸１４の上方で斜め後方に配置し、前記取付アーム１３と前記支持アーム２０の間には前記取付アーム１３を前記取付兼回動規制軸１４中心に下方回動させるように付勢する牽引バネ２２を設け、前記取付アーム１３には先端が前記支持アーム２０側に当接して下方回動を規制するストッパ２４を設け、前記取付兼回動規制軸１４は前記フレーム９側に形成した前記取付兼回動規制軸１４の軸径より大径の回動規制孔１５に係合させて前記支持アーム２０の回動を規制するように構成した育苗箱の隅部床土押圧装置。
【請求項５】
請求項１または請求項２または請求項３または請求項４において、前記支持アーム２０には前記前壁隅部押圧体１６が前記待機位置に復帰する速度を調節する錘２６を設けた育苗箱の隅部床土押圧装置。
【発明の詳細な説明】
【０００１】
【産業上の利用分野】
本発明は、育苗箱の隅部床土押圧装置に係るものである。
【０００２】
【従来技術】
従来公知の実開昭６０−１９０２４５号公報には、前壁隅部押圧体を有する取付アームの基部をフレームに回動自在に取付けた構成について記載されている。また、従来公知の特開平２−１９０１２０号公報には、育苗箱を横送する移送台の上方位置に設けたフレームと、前記育苗箱の床土上面より上方の待機位置から床土上面まで下降して前記育苗箱の前壁の隅土を押圧する前壁隅部押圧体を設けた取付アームとからなり、該取付アームは前壁隅部押圧体が最大押圧位置よりも上方で待機するように構成した育苗箱の隅部床土押圧装置について記載されている。
【０００３】
【発明が解決しようとする課題】
前記公知例のうち、実開昭６０−１９０２４５号公報に記載された前壁隅部押圧装置は、鎮圧ローラーと一体的に設けた構成のため、鎮圧は不要だが、隅の部分だけ押圧したいときにできないという課題がある。また、単なるアームの下部後端に前壁隅部押圧体を設けているので、フレームの前側に前壁隅部押圧体を配置すると、アームの先端にある前壁隅部押圧体は下降しながら後退して前壁の隅を押圧できない。また、待機高さと押圧位置が同じであるため、前壁隅部押圧体は床土上面に摺接して、土がたまる等の別の問題が発生する。
この点、特開平２−１９０１２０号公報に記載されたものは、前記課題を解決するが、後壁隅部押圧機構の後壁隅部押圧用のアームと連動する構成のため、何らかの原因（先行育苗箱と後続の育苗箱の間に所定以上の隙間が開いたり、育苗箱の前後壁の厚さが所定より厚くまたは薄いとき等）で後壁隅部押圧装置が作動しないと、前壁隅部押圧機構も作動しないという課題がある。また、連動させる構成のため、構成が複雑で、製造組立が面倒であり、コストが高いという課題もある。
【０００４】
【発明の目的】
アーム回動式の前壁隅部押圧装置であって床土上面より上方位置に待機させて摺接の防止、単独作動の実現、前壁隅部押圧装置の構成の簡素化、上下調節の容易化、組立、取付の容易化を目的とする。
【０００５】
【課題を解決するための手段】
本発明は、育苗箱２を横送する移送台１の上方位置に設けたフレーム９と、該フレーム９に取付けられ横送中の前記育苗箱２の前壁５の上面に当接する高さ位置であって、かつ、回転均平ブラシにより均平された前記育苗箱２内の床土上面よりも上方の待機位置から前記床土上面まで下降して前記育苗箱２の前壁５の隅土を押圧する前壁隅部押圧体１６を設けた取付アーム１３とからなり、該取付アーム１３は、その回動中心を前記フレーム９に基部を軸止した支持アーム２０の先端に取付兼回動規制軸１４により取付け、該取付兼回動規制軸１４は前記フレーム９側に形成した取付兼回動規制軸１４の軸径より大径の回動規制孔１５に係合させて前記支持アーム２０の回動を規制するように構成し、もって、前記取付兼回動規制軸１４を前記支持アーム２０の回動により上下させることにより、前記前壁隅部押圧体１６が前記育苗箱２の前壁５を乗り越えて最大押圧位置から最大押圧位置よりも上方であって前記床土上面より上方の待機位置で待機するように構成した育苗箱の隅部床土押圧装置としたものである。
本発明は、前記取付兼回動規制軸１４は前記回動規制孔１５内周の上下何れか一方から何れか他方の間のみ移動するようにして、前記支持アーム２０の回動を規制した育苗箱の隅部床土押圧装置としたものである。
本発明は、前記取付アーム１３と支持アーム２０との間には、前記前壁隅部押圧体１６を常時下降するように付勢する牽引バネ２２と、前記取付アーム１３を前記支持アーム２０に対する所定位置に待機させるストッパ２４とを設けた育苗箱の隅部床土押圧装置としたものである。
本発明は、育苗箱２を横送する移送台１の上方位置に設けたフレーム９と、該フレーム９に取付けられ横送中の前記育苗箱２の前壁５の上面に当接する高さ位置であって、かつ、回転均平ブラシにより均平された前記育苗箱２内の床土上面よりも上方の待機位置から前記床土上面まで下降して前記育苗箱２の前壁５の隅土を押圧する前壁隅部押圧体１６を設けた取付アーム１３とからなり、該取付アーム１３は前記育苗箱２の移送方向前側上方位置を回動中心とし移送方向後側斜め下方位置に前壁隅部押圧体１６を設け、前記取付アーム１３の前記回動中心は支持アーム２０の先端に設けた取付兼回動規制軸１４とし、前記支持アーム２０は前記取付兼回動規制軸１４の上方で斜め後方に配置し、前記取付アーム１３と前記支持アーム２０の間には前記取付アーム１３を前記取付兼回動規制軸１４中心に下方回動させるように付勢する牽引バネ２２を設け、前記取付アーム１３には先端が前記支持アーム２０側に当接して下方回動を規制するストッパ２４を設け、前記取付兼回動規制軸１４は前記フレーム９側に形成した前記取付兼回動規制軸１４の軸径より大径の回動規制孔１５に係合させて前記支持アーム２０の回動を規制するように構成した育苗箱の隅部床土押圧装置としたものである。
本発明は、前記支持アーム２０には前記前壁隅部押圧体１６が前記待機位置に復帰する速度を調節する錘２６を設けた育苗箱の隅部床土押圧装置としたものである。
【０００６】
【実施例】
本発明の一実施例を図面により説明すると、１は移送台、２は育苗箱であり、移送台１は育苗箱２をイ方向に移送する。３は育苗箱２を移送する移送ロールである。前記移送台１には、育苗箱２の移送方向前側の前壁５の隅部の床土を押圧する隅部押圧装置６の前壁隅部押圧機構７を設ける。
前記移送台１には、フレーム９の側板１０の下端を固定し、前記側板１０、１０には取付板１１、１１をリンク機構（図示省略）を介して上下自在に取付ける。12は取付板１１を上下させる高さ調節ダイヤルである。
しかして、前記左右の側板１０の外側に左右一対の取付アーム１３を配置し、取付アーム１３の前後中間の前側よりの部分に左右方向の取付兼回動規制軸１４を軸装し、該取付兼回動規制軸１４は前記取付板１１に形成した回動規制孔１５回動規制孔１５内に挿通して軸装する。取付アーム１３の後部には育苗箱２の前壁５の隅部を押圧する前壁隅部押圧体１６を取付ける。前記前壁隅部押圧体１６は、左右方向の平板状に形成し、前側を略水平の押圧部１７に形成し、押圧部１７に続いて後側に至るに従い高くなるように傾斜させた傾斜案内面１８に形成する。
【０００７】
前記取付兼回動規制軸１４には前記取付アーム１３全体を回動させる左右一対の支持アーム２０の下端を軸着し、支持アーム２０の基部は後側上方に突出させ、全体回動中心軸２１により前記取付板１１に回動自在に取付ける。即ち、前壁隅部押圧体１６を床土上面よりも上方に待機するように、支持アーム２０は取付アーム１３の回動中心である取付兼回動規制軸１４を上下させるために設けたものであり、取付アーム１３と支持アーム２０の関係は、支持アーム２０が全体回動中心軸２１中心に下方回動すると、前壁隅部押圧体１６は床土より離れ、支持アーム２０が全体回動中心軸２１中心に上方回動すると、前壁隅部押圧体１６は下降し更に取付アーム１３を取付兼回動規制軸１４中心に回動させると、前壁隅部押圧体１６は前壁５の隅部の床土を押圧する。そのため、取付アーム１３は移送方向後側斜め下方位置に前壁隅部押圧体１６を、前記育苗箱２の移送方向前側上方位置を回動中心（取付兼回動規制軸１４）と配置し、前記取付兼回動規制軸１４より上方で斜め後方に前記支持アーム２０の基部を取付ける。
【０００８】
また、支持アーム２０は取付兼回動規制軸１４を所定範囲で上下させればよく、支持アーム２０の回動を規制するが、取付兼回動規制軸１４を取付アーム１３の取付と支持アーム２０のストッパとに兼用することおよび取付板１１に回動規制孔１５を設けることで支持アーム２０の回動規制機構を簡素化している。
なお、支持アーム２０と取付兼回動規制軸１４の配置によっては、取付兼回動規制軸１４を上動させたとき、待機位置とし、下動させると押圧位置に上下関係を反対にすることも可能である。
しかして、前記取付アーム１３の前端と前記全体回動中心軸２１の間には、前記前壁隅部押圧体１６を下方回動させるように常時付勢する牽引バネ２２の前端を係止し、牽引バネ２２の後端は前記全体回動中心軸２１に係止する。牽引バネ２２は育苗箱２の前進力を取付アーム１３の回動に利用して、前壁隅部押圧体１６が前壁５の隅部の床土を押圧するように作用させる。
【０００９】
前記取付兼回動規制軸１４よりも前側部分の取付アーム１３には連結体２３を設け、連結体２３の左右中央位置には出入り自在のストッパ２４を設け、ストッパ２４の上端は前記支持アーム２０の下部に設けた連結体２５の下面に当接させる。したがって、牽引バネ２２により取付兼回動規制軸１４中心に下方回動するように付勢された取付アーム１３は、ストッパ２４が連結体２５に当接して下方回動が規制される。
なお、牽引バネ２２は支持アーム２０の上下両方向の回動には影響せず、支持アーム２０は全体回動中心軸２１に吊設されていることになり、取付アーム１３と支持アーム２０は牽引バネ２２とストッパ２４の作用で互いに同一角度状態を保持したまま全体回動中心軸２１に吊設されて、取付兼回動規制軸１４が回動規制孔１５の内周の下縁に当接して待機し、前壁隅部押圧体１６が押圧するときは後述するように、取付アーム１３が取付兼回動規制軸１４中心に回動する。
【００１０】
しかして、前記全体回動中心軸２１には錘（バランサー）２６を設け、錘２６は支持アーム２０の下方回動に抵抗を与えて待機位置に復帰させるのを遅らせ、前壁隅部押圧体１６が床土上面に窪みを作るのを防止する。
しかして、前記フレーム９には後壁４の隅部を押圧する後壁隅部押圧機構３０を設ける。前記後壁隅部押圧機構３０は左右一対の後壁隅用アーム３１の上部を左右方向の取付軸３２に固定し、取付軸３２は前記取付板１１に軸装する。後壁隅用アーム３１の下部には回転部材３３の上部を下部取付軸３４により回転自在に軸着する。回転部材３３の前面下端には側面視Ｌ型形状の育苗箱２の後壁４の隅部を押圧する後壁隅部押圧体３５を取付位置上下変更自在に取付ける。前記回転部材３３の下部には左右方向の下部軸３６を設け、該下部軸３６にはバネ３７の下端を係止し、バネ３７の上端は前記後壁隅用アーム３１に設けたピン３８に係止し、バネ３７は回転部材３３を常時後方に回動するように付勢させる。また、後壁隅用アーム３１の前記ピン３８の下部にはストッパー３９を設け、回転部材３３の後方回動を停止させる。前記下部軸３６は、前記下部取付軸３４に対して所謂死点越えしないように配置する。後壁隅用アーム３１の中間部には左右方向の回動規制軸４０を設け、回動規制軸４０の両端は取付板１１に形成した回動規制孔４１内に位置させる。後壁隅用アーム３１とフレーム９側との間にはバネ４２を設け、後壁隅用アーム３１を常時上方回動するように付勢する。
【００１１】
したがって、後壁隅用アーム３１は、回動規制孔４１の上側内周縁に回動規制軸４０が係合すると待機位置になり、回動規制孔４１の下側内周縁に回動規制軸４０が係合すると最下方位置になる。
しかして、内周面の位置の相違する調節体（図示省略）を数種類用意し、調節体を適宜選択して前記回動規制軸４０の端部に係合するように設ける。即ち、調節体を設けることにより回動規制軸４０が回動規制孔４１の内周に当接する位置を変更し、もって、後壁隅用アーム３１の回動角度を変更して、後壁隅部押圧体３５の押圧深さを変更する。
また、前壁隅部押圧体１６は、前記後壁隅部押圧機構３０の回転部材３３が前壁５および後壁４を乗越えるときの回転と干渉しないところに配置するとともに、前記取付アーム１３の後側の一部を湾曲させた湾曲部４４に形成し、同一フレーム９への後壁隅部押圧機構３０の取付け、作動を可能にしている。
【００１２】
【作用】
次に作用を述べる。
本発明は以上の構成であるから、移送台１に育苗箱２を供給すると、育苗箱２はイ方向に移送され、移送中に上方の床土供給装置により床土が供給される。
この床土の供給は、多い目に供給して余分のものを取り去るという方法のため、回転均平ブラシにより床土の上面を均平し、育苗箱２の後壁４および前壁５の隅部に溜る余分な隅土を、隅部押圧装置６の前壁隅部押圧機構７により押圧する。なお、前記育苗箱２の移送速度は、一時間あたり約２００箱〜１５００箱と任意である。
【００１３】
前壁隅部押圧機構７の取付アーム１３は牽引バネ２２により取付兼回動規制軸１４中心に下方回動するように付勢され、ストッパ２４が連結体２５に当接して下方回動が規制されるが、牽引バネ２２は支持アーム２０の回動には影響せず、支持アーム２０は全体回動中心軸２１に吊設されたことになり、取付アーム１３と支持アーム２０は互いに同一角度状態を保持したまま全体回動中心軸２１に吊設され、それゆえ、支持アーム２０が自重で全体回動中心軸２１中心に回動し、取付兼回動規制軸１４が回動規制孔１５の内周の下縁に当接して待機している。
この状態で、移送台１に育苗箱２を供給して床土を供給し、回転均平ブラシにより床土の上面を均平し、または、床土を供給し、回転均平ブラシにより床土の上面を均平した育苗箱２を移送台１に供給すると、育苗箱２の前壁５が前壁隅部押圧体１６の傾斜案内面１８に当接する。育苗箱２は傾斜案内面１８を前方に押すから、取付アーム１３は全体回動中心軸２１中心に回動し、取付兼回動規制軸１４も全体回動中心軸２１中心に回動し、その結果、支持アーム２０の全体回動中心軸２１中心に回動により取付兼回動規制軸１４が回動規制孔１５の上側内周面に当接する。
【００１４】
取付兼回動規制軸１４が回動規制孔１５の上側内周面に当接すると、支持アーム２０の上方回動は規制されるので、支持アーム２０は停止するが、前壁隅部押圧体１６は育苗箱２により更に前方に押されるので、取付アーム１３が回動規制孔１５の上側内周面に当接した状態の取付兼回動規制軸１４中心に上方回動する。
取付アーム１３が取付兼回動規制軸１４中心に上方回動すると、牽引バネ２２は伸び、この状態で、前壁隅部押圧体１６の押圧部１７の下方を育苗箱２の前壁５が通過し、前壁隅部押圧体１６は前記牽引バネ２２が元に縮む弾力により回動規制孔１５の上側内周面に当接した状態の取付兼回動規制軸１４中心に下方回動し、前壁隅部押圧体１６は待機位置よりも深く育苗箱２の前壁５の隅土を押圧して均平する。
【００１５】
前壁隅部押圧体１６が前壁５の隅土を押圧すると、支持アーム２０は全体回動中心軸２１中心に支持アーム２０および取付アーム１３の自重で下方回動し、回動規制孔１５の下側内周面に取付兼回動規制軸１４が当接して、支持アーム２０および取付アーム１３の下方回動は停止し、前壁隅部押圧体１６は床土上面より所定間隔上方にて待機する。
即ち、取付アーム１３は、取付兼回動規制軸１４が回動規制孔１５の下側内周面に当接しているとき待機位置であり、回動規制孔１５の上側内周面に取付兼回動規制軸１４が当接しているとき押圧位置となり、この回動中心は全体回動中心軸２１であるから、全体回動中心軸２１を基準にすると、待機位置は押圧位置よりも、取付兼回動規制軸１４が回動規制孔１５内を回動した分上方に位置させることができる。したがって、待機状態のときに前壁隅部押圧体１６が床土上面に接触するのを防止できる。この点、公知例は、回動中心の位置が変化しないので、待機高さと押圧高さが同じになり、若干の押圧不足が生じるか、または、床土上面に摺接する。
【００１６】
また、取付アーム１３が上方回動すると、牽引バネ２２が伸び、この状態で、前壁隅部押圧体１６の押圧部１７の下方を育苗箱２の前壁５が通過し、前壁隅部押圧体１６は前記牽引バネ２２が元に縮む弾力により回動規制孔１５の上側内周面に当接した状態の取付兼回動規制軸１４中心に下方回動し、この下方回動の慣性によっても、前壁隅部押圧体１６は押圧するので、待機位置よりも深く押圧して均平する。
また、前壁隅部押圧体１６が前壁５の隅土を押圧すると、支持アーム２０は全体回動中心軸２１中心に下方回動するので、前壁隅部押圧体１６は押圧位置よりも上方の待機位置に復帰するが、前記全体回動中心軸２１には錘２６が設けられているから、支持アーム２０の下方回動する速度を遅くし、前壁隅部押圧体１６が床土上面から離れるのを遅くする。即ち、前壁隅部押圧体１６は育苗箱２に供給された床土上面と同じ高さまで隅土を押すが、育苗箱２によって床土上面の高さにばらつきがあり、少しでも前壁隅部押圧体１６が深く押圧してすぐに上動させると、前壁隅部押圧体１６が押圧した部分と床土上面との境界部分に段差が発生するが、前壁隅部押圧体１６をゆっくり上動させると、前壁隅部押圧体１６により前記段差を均平しながら上動させることができる。この前壁隅部押圧体１６の上動する速さを錘２６により調節するのであり、錘２６は軸方向に移動可能である。
【００１７】
また、同じ育苗箱２であって、床土供給深さが相違するときは、図７の状態で、ストッパ２４を回して、取付兼回動規制軸１４に対して取付アーム１３を回動させて調節する。また、育苗箱２の高さが相違するときは12により取付板１１ごと全体に高さを調節する。
しかして、後壁隅部押圧機構３０の後壁隅用アーム３１は回動規制軸４０および回動規制孔４１により上方回動が規制され、後壁隅部押圧体３５を育苗箱２内の床土上面には接触しないが育苗箱２の後壁４と衝突する高さにて待機する。
この状態で、育苗箱２の前壁５が後壁隅部押圧体３５の後面に当接し、育苗箱２の前壁５の前進移動により後壁隅部押圧体３５を前進させる。後壁隅部押圧体３５と後壁隅用アーム３１との間にバネ３７があるので、後壁隅部押圧体３５の前進により後壁隅用アーム３１を取付軸３２を中心に回動させ、後壁隅用アーム３１の下方回動により回動規制軸４０が回動規制孔４１の下側内周縁に当接すると、後壁隅用アーム３１の下方回動は停止するが、後壁隅部押圧体３５は移動する育苗箱２により更に前進してバネ３７に抗して回転部材３３を下部取付軸３４を中心に上方回動させ、後壁隅部押圧体３５の下端が前壁５の上端まで回動すると、前壁５が後壁隅部押圧体３５の下方を通過する。
【００１８】
すると、後壁隅部押圧体３５は回転部材３３と共にバネ３７の弾力により下部取付軸３４中心に回動して、回転部材３３がストッパー３９に当接して回動が停止し、後壁隅用アーム３１もバネ４２の弾力により上方回動し、回動規制軸４０が回動規制孔４１の上側内周縁に当接して後壁隅用アーム３１の回動が停止し、後壁隅部押圧体３５は元の高さにて待機する。
次に、前壁５を乗り越えて床土上面の設定された高さに待機中の後壁隅部押圧体３５は後壁４の前面（内面）に当接し、これにより前記したように後壁隅用アーム３１を下方回動させ、後壁隅用アーム３１の下方回動により後壁隅部押圧体３５は前壁５の前面に摺接しながら床土に対して下降することになって、後壁隅用アーム３１が回動規制軸４０および回動規制孔４１により停止するまで回動すると、後壁隅部押圧体３５は後壁４の隅土を最大に押圧して平坦にし、次に前壁５を乗越えるのと同一の作用によって後壁４を乗り越える。
【００１９】
なお、実際は、前記育苗箱２の前壁５が後壁隅部押圧機構３０の後壁隅部押圧体３５の下方を通過して更に育苗箱２が前進すると、このときに、前記前壁隅部押圧機構７の前壁隅部押圧体１６が前壁５の隅土を押圧するが、先に、前壁隅部押圧機構７を説明している。また、前記作用の説明は、理解を容易にするため、１箱の育苗箱２の移動で説明しているが、実際の作業では、連続して隙間なく育苗箱２は移送されるので、先行の育苗箱２の後壁４に後続の育苗箱２の前壁５は接触して移動し、それゆえ、後壁隅部押圧機構３０および前壁隅部押圧機構７は後壁４と前壁５とを同時に乗越え、特に前壁隅部押圧機構７の前壁隅部押圧体１６は、後壁４の内面に当接して上動し、後壁４および前壁５を乗越え、前壁５が通過したときに作用する。
【００２０】
【効果】
本発明は、育苗箱２を横送する移送台１の上方位置に設けたフレーム９と、該フレーム９に取付けられ横送中の前記育苗箱２の前壁５の上面に当接する高さ位置であって、かつ、回転均平ブラシにより均平された前記育苗箱２内の床土上面よりも上方の待機位置から前記床土上面まで下降して前記育苗箱２の前壁５の隅土を押圧する前壁隅部押圧体１６を設けた取付アーム１３とからなり、該取付アーム１３は、その回動中心を前記フレーム９に基部を軸止した支持アーム２０の先端に取付兼回動規制軸１４により取付け、該取付兼回動規制軸１４は前記フレーム９側に形成した取付兼回動規制軸１４の軸径より大径の回動規制孔１５に係合させて前記支持アーム２０の回動を規制するように構成し、もって、前記取付兼回動規制軸１４を前記支持アーム２０の回動により上下させることにより、前記前壁隅部押圧体１６が前記育苗箱２の前壁５を乗り越えて最大押圧位置から最大押圧位置よりも上方であって前記床土上面より上方の待機位置で待機するように構成した育苗箱の隅部床土押圧装置としたものであるから、前壁隅部押圧体１６を最大押圧位置よりも上方で待機させるので、床土上面に接触するのを防止できるという効果を奏する。また、取付アーム１３と支持アーム２０により隅部床土押圧装置として単独で構成できるので、後壁隅部押圧機構３０の設計の自由度を広げ、スペースを有効利用し、前後壁の隅を押圧する両者をフレーム９に一体的に取付けることも可能になって、組立・組付けも容易となる。
本発明は、前記取付兼回動規制軸１４は前記回動規制孔１５内周の上下何れか一方から何れか他方の間のみ移動するようにして、前記支持アーム２０の回動を規制した育苗箱の隅部床土押圧装置としたものであるから、前壁隅部押圧体１６が最大押圧位置よりも上方で待機させる構成を簡単にできるという効果を奏する。
本発明は、前記取付アーム１３と支持アーム２０との間には、前記前壁隅部押圧体１６を常時下降するように付勢する牽引バネ２２と、前記取付アーム１３を前記支持アーム２０に対する所定位置に待機させるストッパ２４とを設けた育苗箱の隅部床土押圧装置としたものであるから、取付アーム１３と支持アーム２０により隅部床土押圧装置として単独で構成して、単独で作用させることができる効果を奏する。
本発明は、育苗箱２を横送する移送台１の上方位置に設けたフレーム９と、該フレーム９に取付けられ横送中の前記育苗箱２の前壁５の上面に当接する高さ位置であって、かつ、回転均平ブラシにより均平された前記育苗箱２内の床土上面よりも上方の待機位置から前記床土上面まで下降して前記育苗箱２の前壁５の隅土を押圧する前壁隅部押圧体１６を設けた取付アーム１３とからなり、該取付アーム１３は前記育苗箱２の移送方向前側上方位置を回動中心とし移送方向後側斜め下方位置に前壁隅部押圧体１６を設け、前記取付アーム１３の前記回動中心は支持アーム２０の先端に設けた取付兼回動規制軸１４とし、前記支持アーム２０は前記取付兼回動規制軸１４の上方で斜め後方に配置し、前記取付アーム１３と前記支持アーム２０の間には前記取付アーム１３を前記取付兼回動規制軸１４中心に下方回動させるように付勢する牽引バネ２２を設け、前記取付アーム１３には先端が前記支持アーム２０側に当接して下方回動を規制するストッパ２４を設け、前記取付兼回動規制軸１４は前記フレーム９側に形成した前記取付兼回動規制軸１４の軸径より大径の回動規制孔１５に係合させて前記支持アーム２０の回動を規制するように構成した育苗箱の隅部床土押圧装置としたものであるから、取付アーム１３と支持アーム２０により隅部床土押圧装置として単独で構成・作用させることができ、前壁隅部押圧体１６を最大押圧位置よりも上方で待機させるので、床土上面に接触するのを防止する効果を奏し、支持アーム２０の回動規制の構成も簡素にでき、部品点数を少なくして製造組立を簡単にし、全体のコストを低くすることができる効果を奏する。
本発明は、前記支持アーム２０には前記前壁隅部押圧体１６が前記待機位置に復帰する速度を調節する錘２６を設けた育苗箱の隅部床土押圧装置としたものであるから、前壁隅部押圧体１６の過剰下降による床土上面に窪み形成を防止するという効果を奏する。
【図面の簡単な説明】
【図１】  全体側面図。
【図２】  前壁隅部押圧機構の分解斜視図。
【図３】  図１の部分拡大図。
【図４】  待機状態で育苗箱が当接したときの作用状態図。
【図５】  取付アームの取付兼回動規制軸が上動したときの作用状態図。
【図６】  前壁が通過するときの作用状態図。
【図７】  押圧状態の作用状態図。
【図８】  後壁隅部押圧機構を設けた側面図。
【符号の説明】
１…移送台、２…育苗箱、３…移送ロール、４…後壁、５…前壁、６…隅部押圧装置、７…前壁隅部押圧機構、９…フレーム、１０…側板、１１…取付板、１３…取付アーム、１４…取付兼回動規制軸、１５…回動規制孔、１６…前壁隅部押圧体、１７…押圧部、１８…傾斜案内面、２０…支持アーム、２１…全体回動中心軸、２２…牽引バネ、２３…連結体、２４…ストッパ、２５…連結体、２６…錘、３０…後壁隅部押圧機構、３１…後壁隅用アーム、３２…取付軸、３３…回転部材、３４…下部取付軸、３５…後壁隅部押圧体、３６…下部軸、３７…バネ、３８…ピン、３９…ストッパー、４０…回動規制軸、４１…回動規制孔、４２…バネ、４４…湾曲部。
【図１】
0003814048.tif 000002
【図２】
0003814048.tif 000003
【図３】
0003814048.tif 000004
【図４】
0003814048.tif 000005
【図５】
0003814048.tif 000006
【図６】
0003814048.tif 000007
【図７】
0003814048.tif 000008
【図８】
0003814048.tif 000009